(57)【要約】      （修正有）【課題】罫書き作業やマーキング作業を確実に行えるとともに簡素化でき、さらに任意に開けた穴を利用することにより平行線や角度４５°の直線の罫書き作業を確実で簡素化することを目的とした曲尺を提供する。【解決手段】帯状の同一の任意幅を持った短尺板と長尺板の鋼板２枚が直交するように上下で合わせ短尺板と長尺板の端面を固定し接合することにより段付になることで曲尺の下段の短尺面の当り面が対象物の当たり面に対して同一方向の面同士で当ることになり状態が安定することになる。さらに、前記短尺板と直交する長尺板の板幅方向の裏面が対象物の作業面と同一面上になり面で合わさることで曲尺と対象物の位置関係はより安定する為、罫書き作業やマーキング作業が安易だが確実に行える。任意ピッチで短尺板と長尺板ともに穴を開けることにより平行線及び、角度４５°の罫書き作業が簡素化できるようにした。【選択図】図５
0003166478.tif 000002
【実用新案登録請求の範囲】
【請求項１】
帯状の金属で生成された短尺板と長尺板の端面同士を同一平面上で直交させ直交面が形成されたＬ字型の従来の曲尺本体１において、短尺板の上に長尺板を乗せ端面同士を直交させ接着することにより段差及び、直交面を形成させる構造をなす図５の本考案の曲尺本体３。
【請求項２】
請求項１の本考案の曲尺本体３の短尺板と長尺板に対して直交した交点を基準とし任意の位置に穴を開けた構造。
【考案の詳細な説明】
【技術分野】
【０００１】本考案は熟練を要する罫書き作業及び、測定作業やマーキング作業を簡素化するための曲尺の構造に関する。
【背景技術】
【０００２】従来の金属及び木材への従来での曲尺１での罫書き作業は、（図１）のように対象物の基準面２ａに曲尺を直角に当てるために斜めにしなくてはならず位置を固定させる為の力加減に熟練を要した。
【先行技術文献】
【特許文献】
【０００３】
【特許文献１】実開平６−２５７０１号公報
【考案の概要】
【考案が解決しようとする課題】
【０００４】従来、端面からの罫書き作業やマーキング作業や測定（金属及び、木材問わず）に於いて、従来の曲尺本体１の使用方法は図１に現すように対象物２の基準面２ａに従来の曲尺本体１の当り面１ａを合わせるが平面（１枚物）である為斜めに合わせ、その斜めの状態を維持しながら（つまり、左手で斜めの角度及び端面（測定基準面）への接触状況及び対象物２の罫書き面への接触状況を維持する）罫書き面へ罫書き針で線を引く又は、寸法を測定するや罫書き位置をマーキングする作業を行っていた。この場合、問題点としては斜めの状態を維持することは、力加減等に熟練を要すことと線を引くことや測定やマーキングする作業を行っていると力加減により曲尺が動き作業に不具合が生じた。【０００５】対象物の基準面２ａと平行な直線を引く場合は、始めに対象物基準面２ａからの指定長さの寸法値の位置にマーキングし曲尺１を９０°回転させ対象物基準面２ａに直交する端面に従来の曲尺の当り面１ａ合わせてマーキングした位置より直線を生成するので手間が掛かるし熟練も要す作業となっている。【０００６】従来の曲尺本体１の持つ角度としては、９０°（直角）しか持っておらず角度を測定又、４５°の直線を生成及び、罫書き作業をする場合は分度器やプロトラクターを使用しなくては成らない。
【課題を解決するための手段】
【０００７】帯状の金属で生成された短尺板と長尺板の端面同士を同一平面上で直交させ直交面が形成されたＬ字型の従来の曲尺本体１において、短尺板の上に長尺板を乗せ端面同士を直交させ接着することにより段差及び、直交面を形成させる構造をなす図５の本考案の曲尺本体３。【０００８】請求項１の本考案の曲尺本体３の短尺板と長尺板に対して直交した交点を基準とし任意の位置に穴を開けた構造。
【考案の効果】
【０００９】本考案の曲尺３を使用し対象物基準面２ａに短尺板又は長尺板を合わせた場合、合わせた尺の面が対象物基準面２ａに面で当ることにより斜めにする必要が無く安定する為に作業が簡素化でき熟練は不要となる。【００１０】０００９項の状態を維持し、任意に開けた穴に罫書き針４を挿入し本考案の曲尺本体３をスライドさせることにより曲尺を９０°回転させる必要が無く罫書き線が引ける。【００１１】０００９項の状態を維持し、短尺板及び長尺板の同ピッチの穴に基準ピン５を挿し、そのピンの同一外形に本考案の曲尺本体３の端面を当てることにより角度４５°の測定が可能となり、罫書き針４を使用し直線の生成も可能となる。
【図面の簡単な説明】
【００１２】
【図１】従来の罫書き作業を現した図
【図２】段付曲尺での作業を現した図
【図３】任意ピッチ平行線生成作業を現した図
【図４】角度４５°直線生成作業を現した図
【図５】段付曲尺図
【考案を実施するための形態】
【実施例１】
【００１３】図２を使用し説明する。
対象物基準面２ａに本考案の曲尺の当り面３ａを当て対象物基準面２ａと本考案の曲尺の当り面３ａの面同士を密接させさらに、その当り面を持つ尺と直交する尺の裏面を対象物２の作業面は同一平面になり面で接するようになるので対象物２と本考案の曲尺３の接地状況の安定化が図られる。その状態を維持する。【００１４】００１３の状態から対象物２の作業面と同一平面上にある本考案の曲尺３の尺の端面に沿って罫書き針４で線を引くことにより対象物基準面２ａと直交する直線が生成できる。また、本考案の曲尺当り面３ａの目盛を読み任意位置へのマーキング作業が行える。
【実施例２】
【００１５】図３を使用し説明する。
００１３の状態から対象物２の作業面と同一平面上にある本考案の曲尺３の尺に開けた曲尺面上の任意の穴に罫書き針４を挿入し対象物基準面２ａと本考案の曲尺当り面３ａの接地状態を保持しつつ対象物基準面２ａをガイドにし罫書き針４を固定しつつ本考案の曲尺本体３をスライド（図中の上から下）することにより対象物基準面２ａとの平行線を１回の作業で引くことが出来る。
【実施例３】
【００１６】図４を使用し説明する。
００１３の状態から本考案の曲尺３の短尺板及び、長尺板の同一ピッチの穴に基準ピン５を各１本毎の計２本を挿入する。その挿入された基準ピン５の２本の同一端面方向に本考案の本考案の曲尺の当り面３ａ（又は、従来からある直尺の端面）を密接させることにより、対象物基準面２ａに対して４５°の角度を持った面が形成されるので４５°の角度を測定できる。その形成された４５°の面を崩さぬよう罫書き針４を使用し形成された４５°の面に沿って線を引くことにより、対象物基準面２ａに対して４５°の直線が生成される。
【符号の説明】
【００１７】１    従来の曲尺本体
１ａ  同曲尺の当り面
２    罫書きを施される又は、測定される対象物（以下、対象物）
２ａ  対象物の基準面
３    本考案の曲尺本体
３ａ  同曲尺の当り面
４    罫書き針
５    基準ピン
【図１】
0003166478.tif 000003
【図２】
0003166478.tif 000004
【図３】
0003166478.tif 000005
【図４】
0003166478.tif 000006
【図５】
0003166478.tif 000007
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
帯状の金属で生成された短尺板と長尺板で直交され直交面が形成されたＬ字型の曲尺本体において、短尺板の上に長尺板を乗せ端面同士を直交させ接着することにより段差及び、直交面を形成させる構造をなす曲尺本体。
【請求項２】
曲尺本体の短尺板と長尺板に対して直交した交点を基準とし任意に穴を開けた構造を有することを特徴とする請求項１記載の曲尺本体。